(57)【要約】【課題】カントリーエレベータまたはライスセンタにおいて米をより確実に殺菌する。【解決手段】カントリーエレベータまたはライスセンタは、穀物をカントリーエレベータまたはライスセンタへ受け入れるための荷受設備と、荷受設備よりも後工程に設けられ、穀類の外皮を除去するための脱殻機と、脱殻機よりも後工程に設けられ、穀物を貯留するための製品タンクと、荷受設備よりも後工程、かつ、製品タンクよりも前工程に設けられ、穀物を殺菌処理する殺菌装置と、を備える。【選択図】図１
2019171262.tif 000002
【特許請求の範囲】
【請求項１】
カントリーエレベータまたはライスセンタであって、
穀物を前記カントリーエレベータまたはライスセンタへ受け入れるための荷受設備と、
前記荷受設備よりも後工程に設けられ、前記穀類の外皮を除去するための脱殻機と、
前記脱殻機よりも後工程に設けられ、前記穀物を貯留するための製品タンクと、
前記荷受設備よりも後工程、かつ、前記製品タンクよりも前工程に設けられ、前記穀物を殺菌処理する殺菌装置と
を備えるカントリーエレベータまたはライスセンタ。
【請求項２】
請求項１に記載のカントリーエレベータまたはライスセンタであって、
前記荷受設備よりも後工程、かつ、前記脱殻機よりも前工程に設けられ、前記穀物を貯留するための貯留設備を備える
カントリーエレベータまたはライスセンタ。
【請求項３】
請求項２に記載のカントリーエレベータまたはライスセンタであって、
前記殺菌装置は、前記貯留設備よりも前工程に設けられた
カントリーエレベータまたはライスセンタ。
【請求項４】
請求項２または請求項３に記載のカントリーエレベータまたはライスセンタであって、
前記殺菌装置は、前記貯留設備よりも後工程に設けられた
カントリーエレベータまたはライスセンタ。
【請求項５】
請求項１ないし請求項４のいずれか一項に記載のカントリーエレベータまたはライスセンタであって、
前記殺菌装置は、過熱蒸気式殺菌装置である
カントリーエレベータまたはライスセンタ。
【請求項６】
請求項２に記載のカントリーエレベータまたはライスセンタであって、
前記荷受設備よりも後工程、かつ、前記貯留設備よりも前工程に設けられ、前記穀物を乾燥するための乾燥機を備え、
前記殺菌装置は、過熱蒸気式殺菌装置であり、
前記殺菌装置は、前記乾燥機よりも前工程に設けられた
カントリーエレベータまたはライスセンタ。
【請求項７】
穀物の処理方法であって、
穀物を受け入れる第１の工程と、
前記第１の工程よりも後工程で、前記穀類の外皮を除去する第２の工程と、
前記第２の工程よりも後工程で、前記穀物を貯留する第３の工程と、
前記第１の工程よりも後工程、かつ、前記第３の工程よりも前工程で、前記穀物を殺菌処理する第４の工程と
を備える穀物の処理方法。
【発明の詳細な説明】
【技術分野】
【０００１】
本発明は、穀物の処理技術に関する。
【背景技術】
【０００２】
従来、カントリーエレベータまたはライスセンタにおいて、籾摺りを行った後の穀物を、搬出のための袋詰めの直前に殺菌することが知られている（例えば、下記の特許文献１）。これによって、脱ぷ後の穀物に害虫の卵が付着していても、卵がふ化しないようになるので、その後の流通過程において穀物が害虫に汚染されることを防止できる。
【先行技術文献】
【特許文献】
【０００３】
【特許文献１】特開昭６２−５８９５１号
【発明の概要】
【発明が解決しようとする課題】
【０００４】
しかしながら、カントリーエレベータまたはライスセンタに穀物が搬入されてから搬出されるまでの間に、穀物に付着する菌の増殖・繁殖が行われるので、増殖・繁殖が最も発達した搬出の直前において殺菌を行っても、殺菌が不完全になる恐れがあった。あるいは、それらの菌を完全に殺菌するために、過剰な能力または性能を有する殺菌装置が必要となる恐れがあった。
【課題を解決するための手段】
【０００５】
本発明は、上述の課題の少なくとも一部を解決するためになされたものであり、例えば、以下の形態として実現することが可能である。
【０００６】
本発明の第１の形態によれば、カントリーエレベータまたはライスセンタが提供される。このカントリーエレベータまたはライスセンタは、穀物を前記カントリーエレベータまたはライスセンタへ受け入れるための荷受設備と、荷受設備よりも後工程に設けられ、穀類の外皮を除去するための脱殻機と、脱殻機よりも後工程に設けられ、穀物を貯留するための製品タンクと、荷受設備よりも後工程、かつ、製品タンクよりも前工程に設けられ、穀物を殺菌処理する殺菌装置と、を備えている。
【０００７】
かかるカントリーエレベータまたはライスセンタによれば、穀物が、製品タンクで貯留される前に殺菌される。このため、製品タンク内で穀物中の菌が増殖・繁殖することを防止できる。換言すれば、製品タンク内で増殖・繁殖する前の量の菌を殺菌することになるので、搬出の直前で（増殖・繁殖が最も発達した段階で）殺菌する場合と比べて、より確実に殺菌することができる。あるいは、殺菌装置の能力または性能が過剰になることを抑制できる。
【０００８】
本発明の第２の形態によれば、第１の形態において、カントリーエレベータまたはライスセンタは、荷受設備よりも後工程、かつ、脱殻機よりも前工程に設けられ、穀物を貯留するための貯留設備を備えている。
【０００９】
本発明の第３の形態によれば、第２の形態において、殺菌装置は、貯留設備よりも前工程に設けられる。かかる形態によれば、カントリーエレベータまたはライスセンタに搬入された穀物を、貯留する前に殺菌処理することができる。したがって、第１の形態の効果を最大限高めることができる。
【００１０】
本発明の第４の形態によれば、第２または第３の形態において、殺菌装置は、貯留設備よりも後工程に設けられる。かかる形態によれば、第３の形態と比べて、殺菌装置の処理能力を低減することができる。具体的には、殺菌装置が貯留設備よりも前工程に設けられる場合、殺菌装置の処理能力は、カントリーエレベータまたはライスセンタへの搬入量の変動に対応できるように、当該変動のピーク値に基づいて設定される。一方、第４の形態によれば、当該変動を貯留設備で吸収できるので、殺菌装置の処理能力をカントリーエレベータまたはライスセンタへの平均搬入量に基づいて設定することができる。
【００１１】
本発明の第５の形態によれば、第１ないし第４のいずれかの形態において、殺菌装置は、過熱蒸気式殺菌装置である。かかる形態によれば、高い殺菌効果を得ることができる。しかも、穀物の酸化を抑制できる。
【００１２】
本発明の第６の形態によれば、第２の形態において、カントリーエレベータまたはライスセンタは、荷受設備よりも後工程、かつ、貯留設備よりも前工程に設けられ、穀物を乾燥するための乾燥機を備えている。殺菌装置は、過熱蒸気式殺菌装置である。殺菌装置は、乾燥機よりも前工程に設けられる。かかる形態によれば、過熱蒸気式殺菌装置において過熱蒸気で殺菌することによって上昇した穀物の水分を、その後工程に設置された乾燥機で調節することができるので、過熱蒸気式殺菌装置が乾燥設備（過熱蒸気で殺菌した後に水分調整を行う設備）を備えている必要がない。このため、設備構成を簡素化できる。
【００１３】
本発明の第７の形態によれば、穀物の処理方法が提供される。この穀物の処理方法は、穀物を受け入れる第１の工程と、第１の工程よりも後工程で、穀類の外皮を除去する第２の工程と、第２の工程よりも後工程で、穀物を貯留する第３の工程と、第１の工程よりも後工程、かつ、第３の工程よりも前工程で、穀物を殺菌処理する第４の工程と、を備えている。かかる穀物の処理方法によれば、第１の形態と同様の効果を奏する。
【図面の簡単な説明】
【００１４】
【図１】本発明の一実施形態による精米工場のブロック図である。
【図２】殺菌装置のブロック図である。
【発明を実施するための形態】
【００１５】
図１は、本発明の一実施形態によるカントリーエレベータ１０のブロック図であり、カントリーエレベータ１０における処理工程の流れも同時に示している。カントリーエレベータ１０に搬入される籾は、まず、荷受設備としての荷受ホッパ２１によってカントリーエレベータ１０へ受け入れられる。そして、受け入れられた籾は、粗選機２２で処理される。粗選機２２では、回転型スクリーンによって、玄米中に混入する粗ゴミ（例えば、石、ワラ、紙紐、糸くず）が取り除かれる。次いで、籾は計量機２３によって計量される。次いで、籾は、乾燥機２４によって、貯蔵に適した所定の水分値になるまで乾燥される。乾燥された籾は、サイロ（貯留設備）２５に貯留される。
【００１６】
次いで、籾は、サイロ２５から適宜切り出され、殺菌装置３０によって処理される。本実施形態では、殺菌装置３０は、過熱蒸気式である。過熱蒸気式殺菌装置を用いることによって、高い殺菌効果が得られる。本明細書中において、「殺菌」には、穀物に付着する細菌等の殺菌の他、穀物に混入する害虫の殺虫や、穀物の表面または内部に産卵された害虫の卵の殺卵が含まれ得る。過熱蒸気式殺菌装置は公知であり、例えば、ＷＯ２０１７／０３３８７７に記載の装置を使用することができる。ただし、殺菌装置３０は、任意の形式であってもよく、例えば、紫外線方式であってもよい。
【００１７】
図２は、殺菌装置３０のブロック図である。過熱蒸気式の殺菌装置３０は、加温部３１と冷却部３２と仕上調整部３３とを備えている。加温部３１は、籾を撹拌しつつ、当該籾に約２５０℃の過熱蒸気を照射する。冷却部３２は、籾に冷却風を供給することによって、籾の冷却・水分調整を行う。仕上調整部３３は、籾に冷却風を供給することによって、さらに厳密に冷却・水分調整を行う。
【００１８】
この殺菌装置３０によれば、籾に付着する細菌（例えば、大腸菌群）や真菌が効果的に殺菌される。また、殺虫・殺卵効果も期待できる。さらに、加熱処理によって加水分解酵素が失活するので、籾、および、籾摺りによって得られる玄米の鮮度低下を抑制できる。しかも、米の糠層についても加水分解酵素が失活するので、カントリーエレベータ１０からの搬出後、精米工場での精米によって得られる糠の酸化を抑制できる。その結果、精米工場から油脂会社への糠の輸送を計画的かつ効率的に行うことができるとともに、糠からの搾油率が向上する。あるいは、糠を食用に使用することができるようになる。さらに、加温・加湿によって糠層が軟化するので、カントリーエレベータ１０からの搬出後、精米工場において精米を行いやすい。
【００１９】
ここで説明を図１に戻す。殺菌処理された籾は、次いで、籾摺機（脱殻機）２６によって脱ぷされる。脱ぷによって得られた玄米は、選別機２７によって選別処理され、異物等が除去される。選別機２７としては、例えば、篩い式選別機、石抜機、流下式選別機、光選別機などが使用され得る。選別処理された玄米は、製品タンク２８に貯留される。この貯留された玄米は、適宜切り出され、計量包装機２９によって、計量・包装された後、カントリーエレベータ１０から搬出される。
【００２０】
上述したカントリーエレベータ１０によれば、殺菌装置３０が製品タンク２８と計量包装機２９との間に設置される従来のカントリーエレベータと比べて、カントリーエレベータ１０の処理工程におけるより上流側で殺菌処理が行われる。このため、当該従来のカントリーエレベータと比べて、菌の増殖・繁殖を早い段階で防止し、より確実に殺菌することができる。あるいは、殺菌装置３０の能力または性能が過剰になることを抑制できる。
【００２１】
また、殺菌装置３０がサイロ２５よりも後工程に設置されているので、殺菌装置３０の処理能力を大幅に小さくすることができる。具体的には、殺菌装置３０がサイロ２５よりも前工程に設けられる場合には、殺菌装置３０の処理能力は、カントリーエレベータ１０への搬入量の変動に対応できるように、当該変動のピーク値に基づいて設定される。一方、殺菌装置３０がサイロ２５よりも後工程に設置される場合には、当該変動をサイロ２５で吸収できるので、殺菌装置３０の処理能力を、カントリーエレベータ１０への平均搬入量に基づいて設定することができる。
【００２２】
殺菌装置３０は、図１に示した例に代えて、処理工程における荷受ホッパ２１と製品タンク２８との間の任意の箇所に設置されてもよい。例えば、殺菌装置３０は、サイロ２５よりも前工程に設置されてもよい。この場合、カントリーエレベータ１０に搬入された玄米が貯留されることなく速やかに殺菌処理されるので、より確実に殺菌する効果を最大限に高めることができる。また、工場内での虫の発生を防止できる。さらに、殺菌装置３０は、乾燥機２４よりも前工程に設置されてもよい。この場合、殺菌装置３０の加温部３１で処理された籾の水分調整を乾燥機２４で行うことができる。つまり、殺菌装置３０の冷却部３２や仕上調整部３３を省略して、設備構成を簡素化することができる。
【００２３】
あるいは、殺菌装置３０は、籾摺機２６よりも後工程に設置されてもよい。この場合、籾摺機２６によって脱ぷされた玄米を、その水分が２０〜２５％になるように加水処理した後に、過熱蒸気式の殺菌装置３０によって殺菌処理すれば、ＧＡＢＡ富化効果も期待できる。
【００２４】
カントリーエレベータ１０は、複数の殺菌装置を備えていてもよい。例えば、殺菌装置３０が、計量機２３とサイロ２５との間と、サイロ２５と製品タンク２８との間と、の両方に設置されてもよい。この場合、複数の殺菌装置は、互いに異なる方式であってもよい。
【００２５】
例えば、上述したカントリーエレベータ１０の設備構成は一例であり、上述した各装置の一部に代えて、または、加えて、他の任意の装置が設置されてもよい。また、上述した実施形態は、ライスセンタにも適用可能である。ライスセンタは、周知の通り、カントリーエレベータよりも小規模な穀物調製施設であり、サイロ２５を備えていない（あるいは、サイロ２５に代えて、小規模な貯留設備を備えている）点が、主にカントリーエレベータと異なっている。
【００２６】
カントリーエレベータおよびライスセンタが扱う穀物は、米に限らず、広義の任意の穀物であってもよく、例えば、麦、胡椒、蕎麦、ウコンなどであってもよい。この場合、籾摺機２６に代えて、これらの穀物の外皮を除去する脱殻機が設置されてもよい。
【００２７】
以上、本発明のいくつかの実施形態について説明してきたが、上記した発明の実施形態は、本発明の理解を容易にするためのものであり、本発明を限定するものではない。本発明は、その趣旨を逸脱することなく、変更、改良され得るとともに、本発明にはその均等物が含まれる。また、上述した課題の少なくとも一部を解決できる範囲、または、効果の少なくとも一部を奏する範囲において、特許請求の範囲および明細書に記載された各構成要素の組み合わせ、または、省略が可能である。
【符号の説明】
【００２８】
１０…カントリーエレベータ
２１…荷受ホッパ
２２…粗選機
２３…計量機
２４…乾燥機
２５…サイロ
２６…籾摺機
２７…選別機
２８…製品タンク
２９…計量包装機
３０…殺菌装置
３１…加温部
３２…冷却部
３３…仕上調整部
【図１】
2019171262.tif 000003
【図２】
2019171262.tif 000004